(57)【要約】【課題】誤動作をすることなく、自動的に見守り動作を開始することができる見守りシステム及び見守り方法を提供する。【解決手段】見守るべき在床する対象者の体動を検出し、検出した体動に応じた信号を出力する検出装置、対象者の所在施設に設置され、前記検出装置が出力した信号を入力し、入力した信号を送信する送信装置及び該送信装置が送信した信号を受信し、受信した信号に基づいて、寝床における対象者の見守りを開始する見守り装置を備える見守りシステムにおいて、前記見守り装置は、受信した前記信号に基づいて、前記対象者が入床したか否かを判定する判定部と、該判定部が入床したと判定し、かつ該判定部が入床したと判定した時から所定時間が経過した場合、前記寝床における対象者の見守りを開始する開始部とを有する。【選択図】図３
2015106282.tif 000002
【特許請求の範囲】
【請求項１】
見守るべき在床する対象者の体動を検出し、検出した体動に応じた信号を出力する検出装置、
対象者の所在施設に設置され、前記検出装置が出力した信号を入力し、入力した信号を送信する送信装置及び
該送信装置が送信した信号を受信し、受信した信号に基づいて、寝床における対象者の見守りを開始する見守り装置
を備える見守りシステムにおいて、
前記見守り装置は、
受信した前記信号に基づいて、前記対象者が入床したか否かを判定する判定部と、
該判定部が入床したと判定し、かつ該判定部が入床したと判定した時から所定時間が経過した場合、前記寝床における対象者の見守りを開始する開始部と
を有する
ことを特徴とする見守りシステム。
【請求項２】
前記所在施設に設けられた便所に設置され、物体に対する感応に応じた第二信号を出力する感応装置を備え、
前記送信装置は前記感応装置から入力された第二信号を前記見守り装置へ送信するようにしてあり、
前記見守り装置は、前記感応装置から送信された第二信号に基づいて、前記開始部が開始した前記寝床における対象者の見守りを停止する停止部を有する
ことを特徴とする請求項１に記載の見守りシステム。
【請求項３】
前記所在施設に設置され、前記見守り装置の前記開始部が開始した対象者の見守りを停止するための第三信号を前記送信装置へ出力する出力装置を備え、
前記送信装置は前記出力装置から入力された第三信号を前記見守り装置へ送信するようにしてあり、
前記見守り装置の停止部は、前記送信装置から第三信号を受信した場合、前記開始部が開始した前記寝床における対象者の見守りを停止するようにしてある
ことを特徴とする請求項２に記載の見守りシステム。
【請求項４】
見守るべき在床する対象者の体動に応じた信号に基づいて、該対象者の見守りを開始する処理をコンピュータが実行する見守り方法において、
寝床における対象者の体動に応じた信号に基づいて、該対象者が入床したか否かを判定し、
入床したと判定し、かつ入床したと判定した時から所定時間が経過した場合、前記寝床における対象者の見守りを開始する
ことを特徴とする見守り方法。
【発明の詳細な説明】
【技術分野】
【０００１】
本願は、対象者の健康状態を見守る見守りシステム及び見守り方法に関する。
【背景技術】
【０００２】
介護、健康管理等を支援するため、医療・福祉施設、宿泊施設、介護施設等に対象者を見守る見守りシステムが設置される（例えば、特許文献１参照）。特許文献１に係る見守りシステムは、介護者が対象者の寝床を離れる場合、介護者により手動で動作が開始される。あるいは、特許文献１に係る見守りシステムは、対象者が寝床に横臥した場合、自動的に動作を開始する。特許文献２には、寝床にて一定時間継続して対象者の体動が検出されない場合、集中監視センタにアラームを通報する監視装置が開示されている。
【先行技術文献】
【特許文献】
【０００３】
【特許文献１】特開２０１１−８６２８６号公報
【特許文献２】特開平７−２０４１６６号公報
【発明の概要】
【発明が解決しようとする課題】
【０００４】
しかしながら、介護者は見守りシステムの動作を開始するスイッチ操作等を忘れる場合があり、見守りシステムが動作を開始しない虞がある。また、対象者は入床後睡眠開始前に何らかの目的から離床することがある。そのため、対象者の体動が一定時間検出されないときにアラームを通報する見守りシステムは、対象者が入床した時点から見守りシステムの動作を開始する場合、誤作動をする虞がある。
【０００５】
本願の目的の１つは、誤動作をすることなく、自動的に見守り動作を開始することができる見守りシステム及び見守り方法を提供することにある。
【課題を解決するための手段】
【０００６】
本願に係る一観点は、見守るべき在床する対象者の体動を検出し、検出した体動に応じた信号を出力する検出装置、対象者の所在施設に設置され、前記検出装置が出力した信号を入力し、入力した信号を送信する送信装置及び該送信装置が送信した信号を受信し、受信した信号に基づいて、寝床における対象者の見守りを開始する見守り装置を備える見守りシステムにおいて、前記見守り装置は、受信した前記信号に基づいて、前記対象者が入床したか否かを判定する判定部と、該判定部が入床したと判定し、かつ該判定部が入床したと判定した時から所定時間が経過した場合、前記寝床における対象者の見守りを開始する開始部とを有する。
【発明の効果】
【０００７】
本願の一観点によれば、誤動作をすることなく、自動的に見守り動作を開始することができる。
【図面の簡単な説明】
【０００８】
【図１】見守りシステムのハードウェア構成例を示すブロック図である。
【図２】管理サーバのハードウェア構成例を示すブロック図である
【図３】管理サーバ上でのプログラムの処理の手順の一例を示すフローチャートである。
【図４】見守り処理の手順の一例を示すフローチャートである。
【図５】ベッド見守り処理の手順の一例を示すフローチャートである。
【図６】温度管理処理の手順の一例を示すフローチャートである。
【図７】全体処理の手順の一例を示すフローチャートである。
【図８】総合見守り処理の手順の一例を示すフローチャートである。
【発明を実施するための形態】
【０００９】
本実施の形態に係る見守りシステムを、その図面に基づいて説明する。本実施の形態に係る見守りシステムは、医療・福祉施設、独居宅、宿泊施設、介護施設、ケアマンション等に導入され、見守られるべき対象者の健康状態を見守る。以下、介護老人福祉施設、介護老人保健施設、有料老人ホーム等の入居型介護施設を例に挙げて、本実施の形態に係る見守りシステムを説明する。
【００１０】
実施の形態１
図１は、見守りシステム１０のハードウェア構成例を示すブロック図である。
見守りシステム１０は、ベッドセンサ（検出装置）２０、人感センサ３０、人感センサ（感応装置）４０、見守り解除スイッチ（出力装置）５０を含む。また、見守りシステム１０は、空調装置６０、温度センサ７０、端末装置（送信装置）８０及び管理サーバ（見守り装置、コンピュータ）９０を含む。ベッドセンサ２０、人感センサ３０、４０、見守り解除スイッチ５０、空調装置６０及び温度センサ７０は、介護施設の個室に設置されている。図１は個室を１室示しているが、個室の数が複数である場合、各個室にベッドセンサ２０、人感センサ３０、４０、見守り解除スイッチ５０、空調装置６０及び温度センサ７０が設置されている。
【００１１】
端末装置８０は、介護施設内に設置されており、各個室のベッドセンサ２０、人感センサ３０、４０、見守り解除スイッチ５０、空調装置６０及び温度センサ７０と配線で接続されている。図１は、介護施設を１棟示しているが、介護施設の棟の数が複数である場合、各棟に端末装置８０が設置されている。管理サーバ９０は、介護施設に入居する対象者を管理するための施設である管理センタに設置されている。端末装置８０と、管理サーバ９０とは、ネットワーク１Ｎで接続されている。ネットワーク１Ｎは、例えば電話回線、衛星通信回線、専用回線等である。また、管理サーバ９０は、ネットワーク１Ｎを介して、介護センタに設置されているコンピュータ（例えば、介護サーバ）と接続されている。
【００１２】
管理サーバ９０は、ネットワーク１Ｎとは別にインターネット２Ｎと接続されている。管理サーバ９０は、インターネット２Ｎを介して、医療機関のコンピュータ、対象者の家族、友人等が所有するコンピュータ、携帯電話等（図示せず）と接続されている。
【００１３】
ベッドセンサ２０は、介護施設の個室に設置されたベッドの床と、その上のマットとの間に配置されたエアマット及びエアマット内の空気圧に応じた信号を出力するセンサを含む。当該センサは、例えばコンデンサマイクロホン、ピエゾ抵抗効果を利用した圧力センサ、圧電効果を利用した圧力センサ等である。ベッドセンサ２０は、ベッドに在床する対象者の体動、心拍及び呼吸を示す信号を端末装置８０へ出力する。
【００１４】
人感センサ３０は、例えば赤外線、超音波、可視光等を利用して、対象者までの距離を一定時間間隔で測定することにより、対象者の体動を検出するための装置である。人感センサ３０は、個室の例えば天井に取り付けられており、ベッドを含む個室内の領域における対象者の体動に係る信号を端末装置８０へ出力する。
【００１５】
人感センサ４０は、例えば赤外線、超音波、可視光等を利用して、対象者の体動を検出するための装置である。人感センサ４０は、個室内の個室トイレの天井に取り付けられており、トイレ内での対象者の体動に係る信号を端末装置８０へ出力する。人感センサ４０が対象者の体動を検出する原理は、人感センサ３０と同じである。
【００１６】
なお、人感センサ４０は、例えば赤外線等を利用して、トイレにおける対象者の所在及び不在を検出するための装置であってもよい。あるいは、人感センサ４０は、対象者がトイレに入った場合、対象者によって操作されるスイッチに代替されてもよい。例えば、当該スイッチがオンにされた場合、スイッチは対象者がトイレに入ったことを示す信号を端末装置８０へ出力する。例えば、当該スイッチがオフにされた場合、スイッチは対象者がトイレから出たことを示す信号を端末装置８０へ出力する。
【００１７】
見守り解除スイッチ５０は、見守りシステム１０によるベッドでの見守り動作を停止するためのスイッチである。見守り解除スイッチ５０は、オンにされた場合、ベッドにおける対象者の見守りを停止するための信号を端末装置８０へ出力する。
なお、見守り解除スイッチ５０は、電波受信装置であってもよい。かかる場合、見守りスイッチ５０は、例えばスマートフォンから送信された一定電波信号を受信した場合、ベッドにおける対象者の見守りを停止するための信号を端末装置８０へ出力する。
【００１８】
空調装置６０は、個室の気温及び湿度を調節するエア・コンディショナーである。空調装置６０は、ネットワーク１Ｎ及び端末装置８０を介して、管理サーバ９０から制御可能に構成されている。
温度センサ７０は、個室内の温度を測定する装置であり、測定した温度を示す信号を端末装置８０へ出力する。
【００１９】
端末装置８０は、例えばデスクトップＰＣ（パーソナルコンピュータ）、ノートＰＣ等である。端末装置８０は、ベッドセンサ２０、人感センサ３０、４０、見守り解除スイッチ５０、空調装置６０及び温度センサ７０が出力した各信号を夫々入力し、入力した各信号を、ネットワーク１Ｎを介して管理サーバ９０へ送信する。なお、端末装置８０は、各信号に介護施設及び当該介護施設における個室を夫々識別する情報を付加して、各信号を管理サーバ９０へ送信する。
【００２０】
管理サーバ９０は、例えばメインフレーム、ワークステーション、デスクトップＰＣ等である。管理サーバ９０は、端末装置８０が送信した各信号並びに介護施設及び個室の識別情報を、ネットワーク１Ｎを介して受信する。管理サーバ９０は、介護施設及び個室の識別情報に基づいて、個室毎に対象者を見守る処理を実行する。
【００２１】
図２は、管理サーバ９０のハードウェア構成例を示すブロック図である。
管理サーバ９０は、ＣＰＵ（Central Processing Unit）（判定部、開始部、停止部）９１、ＲＯＭ（Read Only Memory）９２及びＲＡＭ（Random Access Memory）９３を含む。また、管理サーバ９０は、ハードディスク９４、ディスクドライブ９５、表示部９６、操作部９７、タイマ９８及び通信部９９を含む。
【００２２】
ＣＰＵ９１は、ソフトウェアプログラムに記述された命令セットを実行するためのプロセッサである。ＣＰＵ９１は、管理サーバ９０の各構成部を制御する。ＣＰＵ９１は、ハードディスク９４に記憶されたプログラム９ＰをＲＡＭ９３に読み出し、ＲＡＭ９３に読み出したプログラム９Ｐを実行する。
【００２３】
ＲＯＭ９２は、読み出し専用記憶媒体であり、例えば不揮発性の半導体メモリである。ＲＯＭ９２は、管理サーバ９０の起動時にＣＰＵ９１が実行するＢＩＯＳ（Basic Input/Output System）、ファームウェア等を記憶している。
【００２４】
ＲＡＭ９３は、主記憶装置である。ＲＡＭ９３は、例えばＳＲＡＭ又はＤＲＡＭであり、ＣＰＵ９１が実行する処理の過程で必要な作業変数、データ等を一時的に記憶する。なお、ＲＡＭ９３の代わりにフラッシュメモリ、メモリカード等が用いられてもよい。
【００２５】
ハードディスク９４は、補助記憶装置である。ハードディスク９４は、大容量の情報の記憶が可能なフラッシュメモリ又はＣＤ（Compact Disc）、ＤＶＤ（Digital Versatile Disc）、ＢＤ（Blu-ray（登録商標） Disc）等の光ディスク９ｄで代替されてもよい。ハードディスク９４は、管理サーバ９０の内部に取り付けられるものであっても、管理サーバ９０の外部に置かれるものであってもよい。ハードディスク９４は、ネットワーク１Ｎ又はインターネット２Ｎを介してアクセス可能な記憶装置（例えば、データベースサーバ）で代替されてもよい。
ハードディスク９４は、ＣＰＵ９１が実行するプログラム９Ｐを記憶している。
【００２６】
ディスクドライブ９５は、外部の記憶媒体であるＣＤ、ＤＶＤ、ＢＤ等の光ディスク９ｄから情報を読み出し、光ディスク９ｄに情報を記録する。
【００２７】
表示部９６は、画像を表示する表示装置である。表示部９６は、例えば液晶ディスプレイ、有機ＥＬ（Electro Luminescence）ディスプレイ、ＣＲＴ（Cathode Ray Tube）ディスプレイ等の画面を有し、ＣＰＵ９１からの指示に従って、プログラム９Ｐに係る各種情報を当該画面に表示する。
【００２８】
操作部９７は、ユーザが各種の入力を行うキーボード、マウス、タッチパネル、電源スイッチ等の入力デバイスである。操作部９７は、ユーザによる操作に基づいて入力信号を生成する。生成された入力信号は、バス９ｂを介してＣＰＵ９１に出力される。
【００２９】
タイマ９８は、クロックを数えることで一定時間の経過を計時する装置である。タイマ９８は、計時した結果をＣＰＵ９１に出力する。
【００３０】
通信部９９は、有線又は無線通信のモデム、ＬＡＮ（Local Area Network）カード、ルータ、ＵＳＢ（Universal Serial Bus）端子、接続コネクタ等である。通信部９９は、ネットワーク１Ｎ及びインターネット２Ｎと接続されている。
【００３１】
なお、ＣＰＵ９１は、ディスクドライブ９５を介して、プログラム９Ｐを光ディスク９ｄから読み込んでもよい。ＣＰＵ９１は、通信部９９を介して、プログラム９Ｐを外部の情報処理装置又は記憶装置から読み込んでもよい。さらに、プログラム９Ｐを記憶したフラッシュメモリ等の半導体メモリ９ｍが、管理サーバ９０内に実装されていてもよい。
【００３２】
次に、見守りシステム１０の動作について、管理サーバ９０を中心に説明する。
対象者は、昼間、介護施設に所属する職員から介護サービスの提供を受けている。就寝時刻になった場合、職員は帰宅し、対象者は入床する。
ベッドセンサ２０は、ベッドに在床している対象者の体動、心拍、呼吸に係る信号（以下、第一信号と呼ぶ）を端末装置８０へ出力する。人感センサ３０は、ベッドに在床している対象者の体動に応じた信号（以下、第二信号と呼ぶ）を端末装置８０へ出力する。
【００３３】
管理サーバ９０は、体動に起因する第一信号及び第二信号の強度が予め設定された閾値を超える場合、対象者は入床したと判定する。あるいは、管理サーバ９０は、体動に起因する第一信号及び第二信号の強度のバラツキが予め設定された閾値を超える場合、対象者は入床したと判定する。
【００３４】
管理サーバ９０は、対象者が入床したと判定した場合、タイマ９８が計時する結果に基づいて、一定時間が経過したか否かを判定する。ここで、一定時間とは人が入床してから睡眠を開始するまでの時間であり、例えば２０分である。なお、ここでの一定時間は、対象者毎に変更可能であり、対象者の特性に応じてカスタマイズされてよい。
【００３５】
管理サーバ９０は、一定時間が経過したと判定した場合、対象者に対するベッド見守り処理を開始する。ベッド見守り処理は、ベッドにおける対象者の健康状態を監視し、仮に健康状態に異変が検出された場合、アラートを報知する処理である。ベッド見守り処理において、管理サーバ９０は、第一信号及び第二信号に基づいて、対象者の単位時間当たりの体動量、単位時間当たりの心拍数及び単位時間当たりの呼吸数を一定時間間隔で算出する。管理サーバ９０は、単位時間当たりの体動量、単位時間当たりの心拍数及び単位時間当たりの呼吸数が夫々一定時間継続して停止した場合、アラートを出力する。ここでの一定時間は、体動の場合、例えば３０分、心拍の場合、例えば数分、呼吸の場合、例えば１分である。
【００３６】
管理サーバ９０が出力するアラートは、ネットワーク１Ｎ及びインターネット２Ｎを介して送信される一定の信号、画面情報、電子メール等である。介護センタのコンピュータ、対象者の関係者が所有するコンピュータ、携帯電話等は、管理サーバ９０からアラートを受信する。その後、対象者に対して早急な医療処置等が施されることになる。
【００３７】
管理サーバ９０は、対象者に異変が生じない場合、職員が介護施設に出勤する一定時刻（例えば、朝７時）にベッド見守り処理を停止する。
【００３８】
対象者は、用足しのために夜間に離床して個室トイレへ移動する場合がある。人感センサ４０は、個室トイレ内に所在する対象者を検出した場合、検出信号（以下、第三信号と呼ぶ）を端末装置８０へ出力する。
【００３９】
管理サーバ９０は、第三信号を端末装置８０から受信した場合、ベッド見守り処理を停止する。対象者が個室トイレを出た場合、管理サーバ９０は第三信号を受信しなくなる。その後、管理サーバ９０は、対象者が再び入床してから一定時間が経過した場合、ベッド見守り処理を再開する。
なお、管理サーバ９０は、第三信号を受信してから対象者の入床を検出することなく一定時間が経過した場合、対象者に異変が生じたものとみなして、ベッド見守り処理と同様のアラート出力を実行する。
【００４０】
対象者は、夜間に外出する場合がある。かかる場合、対象者は、見守り解除スイッチ５０をオンにしてから外出する。見守り解除スイッチ５０がオンにされた場合、見守り解除スイッチ５０は、一定の信号（以下、第四信号と呼ぶ）を端末装置８０へ出力する。
【００４１】
管理サーバ９０は、第四信号を端末装置８０から受信した場合、ベッド見守り処理を停止する。管理サーバ９０は、対象者が外部から戻り、入床した場合、ベッド見守り処理を再開する。
【００４２】
対象者の中には、空調装置６０の使用を好まない、温度に対する感覚が鈍い等の理由から、常に空調装置６０を停止している人がいる。そこで、見守りシステム１０は、熱中症予防等のために、個室の温度管理も実行する。
温度センサ７０は、個室の温度を検出し、検出した温度に応じた信号（以下、第五信号と呼ぶ）を端末装置８０へ出力する。管理サーバ９０は、空調装置６０が停止している場合、端末装置８０から受信した第五信号に基づき、個室の温度を取得する。管理サーバ９０は、温度が第一温度（例えば、２８℃）以上である場合、又は第二温度（例えば、２０℃）以下である場合、空調装置６０を作動させる。
【００４３】
対象者は、旅行等の理由から、介護施設を長期不在にする場合がある。かかる場合、見守りシステム１０の管理者は、管理サーバ９０に対して、一定期間（例えば、２０１３／０８／２８  ９：００〜２０１３／０９／０５  １７：００）、見守り処理の停止を設定する。これにより、ベッドセンサ２０等に故障が発生するような突発的事故が生じた場合でも、見守りシステム１０が誤動作することを防止することができる。
【００４４】
図３は、管理サーバ９０上でのプログラム９Ｐの処理の手順の一例を示すフローチャートである。
ＣＰＵ９１は、対象者が入床したか否かを判定する（ステップＳ１）。ＣＰＵ９１は、対象者が入床していないと判定した場合（ステップＳ１：ＮＯ）、ステップＳ１に処理を戻す。ＣＰＵ９１は、対象者が入床したと判定した場合（ステップＳ１：ＹＥＳ）、一定時間が経過したか否かを判定する（ステップＳ２）。ここでの一定時間は、例えば２０分である。ＣＰＵ９１は、一定時間が経過していないと判定した場合（ステップＳ２：ＮＯ）、ステップＳ２に処理を戻す。
【００４５】
ＣＰＵ９１は、一定時間が経過したと判定した場合（ステップＳ２：ＹＥＳ）、フラグに０を設定する（ステップＳ３）。ここでのフラグは、対象者に異変が生じない正常ケースと、対象者に異変が生じた例外ケースとで処理を分岐するための作業変数である。フラグは、ベッド見守り処理を停止する場合にも利用される。フラグの初期値は０である。対称者に異変が生じたと考えられる場合、フラグには１が格納される。見守り解除スイッチ５０がオンにされた場合、フラグには２が格納される。
【００４６】
ＣＰＵ９１は、見守り処理を実行する（ステップＳ４）。ここでの見守り処理は、ベッド見守り処理、トイレにおける対象者を見守り処理及び見守り解除スイッチ５０がオンにされた場合の処理を含む。
次のステップＳ５〜ステップＳ８の処理は、割り込み処理である。ＣＰＵ９１は、見守り処理の実行中であっても、ステップＳ５〜ステップＳ８の処理を一定時間間隔で実行する。
【００４７】
ＣＰＵ９１は、フラグ＝０か否かを判定する（ステップＳ５）。ＣＰＵ９１は、フラグ＝０であると判定した場合（ステップＳ５：ＹＥＳ）、タイマ９８が計時した結果に基づいて、現在が一定時刻か否かを判定する（ステップＳ６）。ここでの一定時刻は、例えば職員が介護施設へ出勤してくる時刻である。ＣＰＵ９１は、タイマ９８が計時した結果に基づいて、現在が一定時刻でないと判定した場合（ステップＳ６：ＮＯ）、ステップＳ４へ処理を戻す。ＣＰＵ９１は、タイマ９８が計時した結果に基づいて、現在が一定時刻であると判定した場合（ステップＳ６：ＹＥＳ）、見守り処理を停止し（ステップＳ７）、処理を終了する。
【００４８】
ＣＰＵ９１は、フラグ＝０でないと判定した場合（ステップＳ５：ＮＯ）、すなわちフラグ＝１又はフラグ＝２である場合、フラグ＝１か否かを判定する（ステップＳ８）。ＣＰＵ９１は、フラグ＝１でないと判定した場合（ステップＳ８：ＮＯ）、すなわちフラグ＝２である場合、ステップＳ１へ処理を戻す。ＣＰＵ９１は、フラグ＝１であると判定した場合（ステップＳ８：ＹＥＳ）、処理を終了する。
【００４９】
図４は、見守り処理の手順の一例を示すフローチャートである。
ＣＰＵ９１は、ベッド見守り処理を実行する（ステップＳ４０）。ベッド見守り処理は、在床する対象者を見守る処理である。見守り処理において、ベッド見守り処理以外のステップＳ４１〜ステップＳ５０の処理は、割り込み処理である。ＣＰＵ９１は、ベッド見守り処理の実行中であっても、ステップＳ４１〜ステップＳ５０の処理を一定時間間隔で実行する。
【００５０】
ＣＰＵ９１は、フラグ＝１か否かを判定する（ステップＳ４１）。ＣＰＵ９１は、フラグ＝１であると判定した場合（ステップＳ４１：ＹＥＳ）、ベッド見守り処理を停止し（ステップＳ４２）、処理を終了する。ＣＰＵ９１は、フラグ＝１でないと判定した場合（ステップＳ４１：ＮＯ）、第三信号を受信したか否かを判定する（ステップＳ４３）。第三信号は、対象者がトイレに入ったことを示す信号である。ＣＰＵ９１は、第三信号を受信したと判定した場合（ステップＳ４３：ＹＥＳ）、ベッド見守り処理を停止する（ステップＳ４４）。
【００５１】
ＣＰＵ９１は、第三信号を受信してから一定時間が経過したか否かを判定する（ステップＳ４５）。ＣＰＵ９１は、第三信号を受信してから一定時間が経過していないと判定した場合（ステップＳ４５：ＮＯ）、ステップＳ４３へ処理を戻す。ＣＰＵ９１は、第三信号を受信してから一定時間が経過したと判定した場合（ステップＳ４５：ＹＥＳ）、アラームを介護センタ等へ通知する（ステップＳ４６）。ＣＰＵ９１は、フラグに１を設定し（ステップＳ４７）、処理を終了する。
【００５２】
ＣＰＵ９１は、第三信号を受信していないと判定した場合（ステップＳ４３：ＮＯ）、第四信号を受信したか否かを判定する（ステップＳ４８）。第四信号は、見守り解除スイッチ５０がオンにされたことを示す信号である。ＣＰＵ９１は、第四信号を受信していないと判定した場合（ステップＳ４８：ＮＯ）、ステップＳ４０に処理を戻す。ＣＰＵ９１は、第四信号を受信したと判定した場合（ステップＳ４８：ＹＥＳ）、ベッド見守り処理を停止する（ステップＳ４９）。ＣＰＵ９１は、フラグに２を設定して（ステップＳ５０）、処理を終了する。
【００５３】
図５は、ベッド見守り処理の手順の一例を示すフローチャートである。
ＣＰＵ９１は、第一信号及び第二信号を受信する（ステップＳ４０１）。第一信号は、ベッドセンサ２０が出力する信号である。第二信号は、人感センサ３０が出力する信号である。ＣＰＵ９１は、第一信号及び第二信号に基づいて、対象者の単位時間当たりの体動量、心拍数及び呼吸数を算出する（ステップＳ４０２）。
【００５４】
ＣＰＵ９１は、ステップＳ４０２で算出した数量に基づいて、対象者に異変が生じたか否かを判定する（ステップＳ４０３）。ＣＰＵ９１は、ステップＳ４０２で算出した数量に基づいて、対象者に異変が生じていないと判定した場合（ステップＳ４０３：ＮＯ）、ステップＳ４０１へ処理を戻す。ＣＰＵ９１は、ステップＳ４０２で算出した数量に基づいて、対象者に異変が生じたと判定した場合（ステップＳ４０３：ＹＥＳ）、異変状態が一定時間継続したか否かを判定する（ステップＳ４０４）。
【００５５】
ＣＰＵ９１は、異変が一定時間継続していないと判定した場合（ステップＳ４０４：ＮＯ）、ステップＳ４０１へ処理を戻す。ＣＰＵ９１は、異変が一定時間継続したと判定した場合（ステップＳ４０４：ＹＥＳ）、アラームを介護センタ等へ通知する（ステップＳ４０５）。ＣＰＵ９１は、フラグに１を設定し（ステップＳ４０６）、処理を終了する。
【００５６】
図６は、温度管理処理の手順の一例を示すフローチャートである。温度管理処理は、個室の温度に基づいて、空調装置６０を作動させる処理である。温度管理処理は、プログラム９Ｐに含まれる処理であるが、見守り処理とは独立した処理であり、管理サーバ９０上に常駐する処理である。
ＣＰＵ９１は、空調装置６０が停止しているか否かを判定する（ステップＳ９１）。ＣＰＵ９１は、空調装置６０が停止していないと判定した場合（ステップＳ９１：ＮＯ）、ステップＳ９１へ処理を戻す。
【００５７】
ＣＰＵ９１は、空調装置６０が停止していると判定した場合（ステップＳ９１：ＹＥＳ）、第五信号を受信する（ステップＳ９２）。第五信号は、温度センサ７０が出力する信号である。ＣＰＵ９１は、第五信号に基づいて、個室の温度を取得する（ステップＳ９３）。ＣＰＵ９１は、取得した個室の温度が第一温度以上か否かを判定する（ステップＳ９４）。ＣＰＵ９１は、取得した個室の温度が第一温度以上であると判定した場合（ステップＳ９４：ＹＥＳ）、空調装置６０を作動させ（ステップＳ９５）、処理を終了する。
【００５８】
ＣＰＵ９１は、取得した個室の温度が第一温度以上でないと判定した場合（ステップＳ９４：ＮＯ）、取得した個室の温度が第二温度以下か否かを判定する（ステップＳ９６）。ＣＰＵ９１は、取得した個室の温度が第二温度以下でないと判定した場合（ステップＳ９６：ＮＯ）、処理をステップＳ９１へ戻す。ＣＰＵ９１は、取得した個室の温度が第二温度以下であると判定した場合（ステップＳ９６：ＹＥＳ）、空調装置６０を作動させ（ステップＳ９５）、処理を終了する。
【００５９】
本実施の形態では、見守りシステム１０は、対象者が入床してから所定時間経過後に、ベッド見守り処理を開始した。しかし、見守りシステム１０は、対象者が入床した後、睡眠状態か否かを判定し、睡眠状態であると判定した場合に、ベッド見守り処理を開始してもよい。そのためには、第一信号に基づいて算出される心拍数から睡眠状態を判定すればよい。人の睡眠段階には、ノンレム睡眠とレム睡眠の２種類の睡眠がある。一般に正常成人では、覚醒からノンレム睡眠を経て最初のレム睡眠が現れるまでに７０〜９０分かかる。他方、心拍数は、睡眠深度と並行して減少するが、レム睡眠に入ると一時的に増加する。また、心拍数は、ノンレム睡眠期は減少し、レム睡眠期は上昇することが知られている。管理サーバ９０は、心拍数から例えば最初のノンレム睡眠又は最初のレム睡眠の開始を特定し、特定した時点から対象者は睡眠状態にあると判定する。
これにより、入床後睡眠開始前に対象者が離床して、体動未検出時間が一定時間継続した場合に生じ得る誤動作を解消することができる。
なお、ノンレム睡眠とレム睡眠とは、更に段階１〜４の睡眠段階があり、これらの段階と心拍数との関係も知られている。そこで、睡眠状態の判定は、更に細かい睡眠段階に基づいて、判定されてもよい。
また、呼吸数は、ノンレム睡眠でゆっくり、そして規則正しくなるが、レム睡眠では速く、不規則になることが知られている。そこで、睡眠状態の判定に、第一信号に基づいて算出される呼吸数が利用されてもよい。
【００６０】
管理サーバ９０は、入床から睡眠状態に入るまでの経過時間を対象者別にハードディスク９４に記憶してもよい。管理サーバ９０は、対象者が入床してから、記憶した経過時間の平均時間経過後にベッド見守りを開始してもよい。
これにより、入床してから睡眠を開始するまでの時間が一定でない対象者に対しても、見守りシステム１０は、対象者の平均的な睡眠開始時点からベッド見守りを開始することができる。
【００６１】
本実施の形態では、見守りシステム１０は、ベッド以外にトイレでも、対象者に異変が生じていないことを見守った。しかし、見守りシステム１０は、トイレに替えて、又はトイレに追加して、風呂場における対象者の見守りを実行してもよい。そのためには、風呂場にも、人感センサを設置し、管理サーバ９０は当該人感センサが出力する信号に基づいて、対象者の体動を監視すればよい。
これにより、風呂場で対象者の健康状態に異変が生じた場合にも、見守りシステム１０は、アラームを出力することができる。
【００６２】
見守りシステム１０によれば、誤動作をすることなく、自動的にベッドにおける対象者の見守り動作を開始することができる。
対象者は、入床後睡眠開始までの間に、離床する場合がある。そのため、対象者の体動に基づいて、入床後からベッドでの見守りを開始した場合、一定時間継続して対象者の体動が検出されない場合、見守りシステムは対象者に異変がないにもかかわらず、誤ってアラームを出力してしまう。
しかし、見守りシステム１０は、対象者が入床してから睡眠を開始する時点までの一定時間が経過したとき、対象者の体動に基づく見守りを自動的に開始する。そのため、見守りシステム１０は、誤作動を回避することができる。
また、見守りシステム１０は、対象者が用足し又は一時的外出のために離床する場合、ベッド見守り処理を停止し、対象者が再び入床した後に一定時間が経過した場合、ベッド見守り処理を再開する。これにより、見守りシステム１０は、対象者の生理現象に柔軟に対応可能である。また、見守りシステム１０は、対象者の自律的生活を妨げることなく、対象者の健康状態を見守ることができる。
【００６３】
実施の形態２
実施の形態２は、ベッドセンサ２０及び人感センサ３０、４０を利用して、総合的に対象者を見守る形態に関する。実施の形態２では、管理サーバ９０は、人感センサ３０からの信号に基づいて、ベッドを含む個室内の領域（個室トイレを除く）における対象者を見守り、人感センサ４０からの信号に基づいて、個室トイレにおける対象者を見守る。実施の形態２において、見守り解除スイッチ５０は、ベッドセンサ２０及び人感センサ３０、４０を用いた見守りシステム１０による見守り動作を停止するためのスイッチである。従って、実施の形態２では、ベッド、ベッド以外の個室領域及び個室トイレのいずれかにて対象者の健康状態に異変が生じた場合、見守りシステム１０は、介護センタの看護サーバ及び対象者の家族等が所有するコンピュータにアラートを出力する。
【００６４】
なお、実施の形態２において、実施の形態１と同様である構成要素には同一の参照番号を付してその詳細な説明を省略する。
【００６５】
図７は、全体処理の手順の一例を示すフローチャートである。
ＣＰＵ９１は、対象者が入床したか否かを判定する（ステップＳ１０１）。ＣＰＵ９１は、対象者が入床していないと判定した場合（ステップＳ１０１：ＮＯ）、処理を終了する。ＣＰＵ９１は、対象者が入床していると判定した場合（ステップＳ１０１：ＹＥＳ）、一定時間が経過したか否かを判定する（ステップＳ１０２）。ここでの一定時間は、例えば２０分である。
【００６６】
ＣＰＵ９１は、一定時間が経過していないと判定した場合（ステップＳ１０２：ＮＯ）、ステップＳ１０２に処理を戻す。ＣＰＵ９１は、一定時間が経過したと判定した場合（ステップＳ１０２：ＹＥＳ）、総合見守り処理を実行する（ステップＳ１０３）。総合見守り処理は、ベッドセンサ２０及び人感センサ３０、４０を用いた対象者に対する総合的な見守り処理である。
【００６７】
ＣＰＵ９１は、見守り解除スイッチ５０がオンにされたか否かを判定する（ステップＳ１０４）。ステップＳ１０４は、総合見守り処理が実行中でも、割り込みにより実行される処理である。ＣＰＵ９１は、見守り解除スイッチ５０がオンにされていないと判定した場合（ステップＳ１０４：ＮＯ）、タイマ９８が計時した結果に基づいて、現在が一定時刻か否かを判定する（ステップＳ１０５）。ここでの一定時刻は、例えば職員が介護施設へ出勤してくる時刻である。ステップＳ１０５は、総合見守り処理が実行中でも、割り込みにより実行される処理である。
【００６８】
ＣＰＵ９１は、タイマ９８が計時した結果に基づいて、現在が一定時刻でないと判定した場合（ステップＳ１０５：ＮＯ）、ステップＳ１０３へ処理を戻す。ＣＰＵ９１は、見守り解除スイッチ５０がオンにされたと判定した場合（ステップＳ１０４：ＹＥＳ）、処理を終了する。ＣＰＵ９１は、タイマ９８が計時した結果に基づいて、現在が一定時刻であると判定した場合（ステップＳ１０５：ＹＥＳ）、処理を終了する。
【００６９】
図８は、総合見守り処理の手順の一例を示すフローチャートである。
ＣＰＵ９１は、ベッドセンサ２０からの信号に基づいて、対象者の体動量、心拍数及び呼吸数を算出する（ステップＳ２０１）。なお、ＣＰＵ９１は、ステップＳ２０１で算出した対象者の体動量、心拍数及び呼吸数をＲＡＭ９３に記憶する。対象者の体動量、心拍数及び呼吸数は、総合見守り処理におけるループ処理により、ＲＡＭ９３に蓄積される。
【００７０】
ＣＰＵ９１は、ＲＡＭ９３の内容を読み出し、対象者の体動量、心拍数又は呼吸数に異変があるか否かを判定する（ステップＳ２０２）。ＣＰＵ９１は、対象者の体動量、心拍数又は呼吸数に異変があると判定した場合（ステップＳ２０２：ＹＥＳ）、異変状態が一定時間継続したか否かを判定する（ステップＳ２０３）。ＣＰＵ９１は、異変状態が一定時間継続したと判定した場合（ステップＳ２０３：ＹＥＳ）、アラームを介護センタ等へ通知し（ステップＳ２０４）、処理を終了する。
【００７１】
ＣＰＵ９１は、対象者の体動量、心拍数及び呼吸数に異変がないと判定した場合（ステップＳ２０２：ＮＯ）並びに異変状態が一定時間継続していないと判定した場合（ステップＳ２０３：ＮＯ）、ステップＳ２０５へ処理を進める。ＣＰＵ９１は、人感センサ３０からの信号に基づいて、対象者の体動量を算出する（ステップＳ２０５）。なお、ＣＰＵ９１は、ステップＳ２０５で算出した対象者の体動量をＲＡＭ９３に記憶する。対象者の体動量は、総合見守り処理におけるループ処理により、ＲＡＭ９３に蓄積される。
【００７２】
ＣＰＵ９１は、ＲＡＭ９３の内容を読み出し、対象者の体動量に異変があるか否かを判定する（ステップＳ２０６）。ＣＰＵ９１は、対象者の体動量に異変があると判定した場合（ステップＳ２０６：ＹＥＳ）、異変状態が一定時間継続したか否かを判定する（ステップＳ２０７）。ＣＰＵ９１は、異変状態が一定時間継続したと判定した場合（ステップＳ２０７：ＹＥＳ）、アラームを介護センタ等へ通知し（ステップＳ２０４）、処理を終了する。
【００７３】
ＣＰＵ９１は、対象者の体動量に異変がないと判定した場合（ステップＳ２０６：ＮＯ）並びに異変状態が一定時間継続していないと判定した場合（ステップＳ２０７：ＮＯ）、ステップＳ２０８へ処理を進める。ＣＰＵ９１は、個室トイレの人感センサ４０からの信号に基づいて、対象者が個室トイレに入ったか否かを判定する（ステップＳ２０８）。なお、ＣＰＵ９１は、ステップＳ２０８で対象者が個室トイレに入ったと判定した場合、対象者が個室トイレに入った時刻をＲＡＭ９３に記憶する。
【００７４】
ＣＰＵ９１は、対象者が個室トイレに入ったと判定した場合（ステップＳ２０８：ＹＥＳ）、ＲＡＭ９３から対象者が個室トイレに入った時刻を読み出し、対象者が個室トイレに入ってから一定時間が経過したか否かを判定する（ステップＳ２０９）。ＣＰＵ９１は、対象者が個室トイレに入ってから一定時間が経過したと判定した場合（ステップＳ２０９：ＹＥＳ）、アラームを介護センタ等へ通知し（ステップＳ２０４）、処理を終了する。
【００７５】
ＣＰＵ９１は、個室トイレの人感センサ４０からの信号に基づいて、対象者が個室トイレに入っていないと判定した場合（ステップＳ２０８：ＮＯ）並びに対象者が個室トイレに入ってから一定時間が経過していないと判定した場合（ステップＳ２０９：ＮＯ）、ステップＳ２０１へ処理を戻す。
【００７６】
開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【００７７】
各実施の形態で記載されている技術的特徴（構成要件）はお互いに組合せ可能であり、組み合わせすることにより、新しい技術的特徴を形成することができる。
【符号の説明】
【００７８】
１０  見守りシステム
２０  ベッドセンサ（検出装置）
３０  人感センサ
４０  人感センサ（感応装置）
５０  見守り解除スイッチ（出力装置）
６０  空調装置
７０  温度センサ
８０  端末装置（送信装置）
９０  管理サーバ（見守り装置、コンピュータ）
９１  ＣＰＵ（判定部、開始部、停止部）
９３  ＲＡＭ
９４  ハードディスク
９９  通信部
９Ｐ  プログラム
【図１】
2015106282.tif 000003
【図２】
2015106282.tif 000004
【図３】
2015106282.tif 000005
【図４】
2015106282.tif 000006
【図５】
2015106282.tif 000007
【図６】
2015106282.tif 000008
【図７】
2015106282.tif 000009
【図８】
2015106282.tif 000010